(57)【要約】【課題】墓地や霊園の防草、公園や中央分離帯などの防草に有用な防草材を含む透水性３次元構造物であって、地面に容易に施工して雑草の生育を防止するとともに苔やかびの発生を防止でき、安価で環境に対して優しく、しかも効果の持続性に優れる透水性３次元構造物およびその施工方法の提供。【解決手段】粒径７ｍｍ〜０．０４ｍｍの難溶性硼素化合物粉粒体０．５〜５質量％と、粒径１０ｍｍ〜０．０４ｍｍの難溶性アルミニウム化合物粉粒体９９．５〜９５質量％とをそれぞれ含む混合物を有効成分として含む防草材の前記粉粒体同士が接する箇所ないし前記接する箇所の近傍が接合部となって、透明樹脂により接合されており、前記接合部以外は互いに連続する空隙を形成していることを特徴とする透水性３次元構造物により課題を解決できる。【選択図】図１
2014076001.tif 000002
【特許請求の範囲】
【請求項１】
粒径７ｍｍ〜０．０４ｍｍの難溶性硼素化合物粉粒体０．５〜５質量％と、粒径１０ｍｍ〜０．０４ｍｍの難溶性アルミニウム化合物粉粒体９９．５〜９５質量％とをそれぞれ含む混合物を有効成分として含む防草材の前記粉粒体同士が接する箇所ないし前記接する箇所の近傍が接合部となって、透明樹脂により接合されており、前記接合部以外は互いに連続する空隙を形成していることを特徴とする透水性３次元構造物。
【請求項２】
前記難溶性アルミニウム化合物粉粒体が蝋石であることを特徴とする請求項１記載の透水性３次元構造物。
【請求項３】
請求項１あるいは請求項２記載の透水性３次元構造物の施工方法であって、下記工程（１）〜（５）を含むことを特徴とする透水性３次元構造物の施工方法。
（１）土壌面から除草、抜根して均し、あるいはさらに転圧する。（２）転圧した土壌面上に請求項１から請求項３のいずれかに記載の防草材を敷き詰めて均す。
（３）均した後、透明樹脂水性エマルジョンを敷き詰めて均した防草材表面に供給して浸透させる。
（４）工程（３）で浸透させた前記透明樹脂水性エマルジョンの内、前記難溶性硼素化合物粉粒体と難溶性アルミニウム化合物粉粒体が接する箇所ないし前記接する箇所の近傍に残留するもの以外は、系外に排出する。
（５）工程（４）の後、乾燥し、養生する。
【請求項４】
請求項１あるいは請求項２記載の透水性３次元構造物の施工方法であって、下記工程（１）〜（４）を含むことを特徴とする透水性３次元構造物の施工方法。
（１）土壌面から除草、抜根して均し、あるいはさらに転圧する。（２）工程（１）で処理した土壌面に、予め前記難溶性硼素化合物粉粒体と難溶性アルミニウム化合物粉粒体に透明樹脂水性エマルジョンを均一に混合して調製した混合物を、敷き詰めて均す。
（３）工程（２）で敷き詰めて均した前記難溶性硼素化合物粉粒体と難溶性アルミニウム化合物粉粒体中の前記透明樹脂水性エマルジョンの内、前記難溶性硼素化合物粉粒体と難溶性アルミニウム化合物粉粒体が接する箇所ないし前記接する箇所の近傍に残留するもの以外は、系外に排出する。
（４）工程（３）の後、乾燥し、養生する。
【発明の詳細な説明】
【技術分野】
【０００１】
本発明は、透水性３次元構造物およびその施工方法に関するものであり、さらに詳しくは、墓地や霊園の防草、公園や中央分離帯やガーデンアプローチや犬走りの防草、鉄塔下、高架下、交差点、路側帯の防草などに有用な防草材を含む透水性３次元構造物およびその施工方法に関するものである。
【背景技術】
【０００２】
墓地や公園や中央分離帯などにおける雑草の繁殖は除去に人手を要し、作業は多労働で経費がかかる問題がある。そこで除草剤が使用されるが、除草剤は特に環境に対して種々の薬害の原因となるので安心して使用できない問題がある。
【０００３】
酸化マグネシウムと増量材を含み酸化マグネシウムが水と反応して硬化するようにして地面に硬化層を形成して雑草の繁殖を防止する雑草繁殖防止材（特許文献１参照）が提案されているが、酸化マグネシウムは水溶性であり雨水によって溶解して散逸してしまい、効果の持続性に問題があるとともに、酸化マグネシウムおよびその水溶液はアルカリ性が高く人や環境に対して悪影響を及ぼす恐れがある他に、硬化層が冬場に凍ってヒビ割れが発生し雑草が繁茂する問題がある。又、緑石、巻き石など時間経過と共に、膨張収縮率の違いにより、隙間が出来てそこに雑草が繁茂する問題がある。
【０００４】
真砂土、砂、セメントや石灰などの粉体固化材を含む舗装材を敷設してローラなどで転圧し、転圧した舗装面に散水しローラなどで転圧して固化して舗装道とする自然舗装道用舗装材（特許文献２参照）が提案されているが、苔やかびの発生を防止できず、苔やかびが発生すれば外観が悪くなる他に、冬場に凍ってヒビ割れが発生し雑草が繁茂する問題もある。又、緑石、巻き石など時間経過と共に、膨張収縮率の違いにより、隙間が出来てそこに雑草が繁茂する問題がある。
表面で光を反射させて視認性を高めるための貝殻粉粒体と硬化させるためのセメントを含む硬化材を地面に敷き散水してセメントを硬化させて通水性除草舗装で被覆して道路の緑地帯に雑草が生えるのを防止する表面処理方法（特許文献３参照）が提案されているが、苔やかびの発生を防止できず、苔やかびが発生すれば外観が悪くなる他に、冬場に凍ってヒビ割れが発生し雑草が繁茂する問題もある。又、緑石、巻き石など時間経過と共に、膨張収縮率の違いにより、隙間が出来てそこに雑草が繁茂する問題がある。
【０００５】
一方、砂利状骨材の施工現場で、砂利状骨材の上方から、少なくとも一種類の有機ポリマーと、前記有機ポリマーと混合される鹸化度が９５％以上のポリビニルアルコール成分と、水からなる一液乾燥硬化型の水性エマルジョンを振掛けられ浸透することで砂利状骨材と混合される一液乾燥硬化型の水性エマルジョンと前記砂利状骨材を有する舗装材組成物を、所定の厚さに塗工し、乾燥硬化することによって形成される舗装材が提案されている（特許文献４参照）。
【先行技術文献】
【特許文献】
【０００６】
【特許文献１】特開２００３−４７３８８号公報
【特許文献２】特開２００５−２５６３８７号公報
【特許文献３】特開２００１−２０４２７２号公報
【特許文献４】特開２０１１−８０２３０号公報
【発明の概要】
【発明が解決しようとする課題】
【０００７】
本発明の第１の目的は、粉粒体同士が接する箇所ないし前記接する箇所の近傍が接合部となって、透明樹脂により接合されているので美観および強度に優れるとともに、接合部以外は互いに連続する空隙を形成しているので、雨水などが空隙を通過して地面に吸収される際に、硼素などの溶出量を制御して有効成分を地面に供給できる透水性３次元構造物であって、墓地や霊園の防草、公園や中央分離帯やガーデンアプローチや犬走りの防草、鉄塔下、高架下、交差点、路側帯の防草などに有用であり、粉粒体の状態で地面に敷き詰め、例えばその上から透明樹脂水性エマルジョンを供給して浸透させ、乾燥し、養生することによって容易に施工して雑草の生育を防止するとともに苔やかびの発生を防止でき、風が吹いても粉塵が発生せず、雨水などによって粉粒体が散逸してしまうことがなく、冬場に凍ってヒビ割れが発生することがなく、耐水性、耐候性、耐久性、効果の持続性にも優れ、安価で環境に対して優しい透水性３次元構造物を提供することである。
本発明の第２の目的は、本発明の透水性３次元構造物を墓地や霊園、公園や中央分離帯やガーデンアプローチや犬走り、鉄塔下、高架下、交差点、路側帯などの地面に容易に施工する方法を提供することである。
【課題を解決するための手段】
【０００８】
前記課題を解決するための本発明の請求項１記載の発明は、粒径７ｍｍ〜０．０４ｍｍの難溶性硼素化合物粉粒体０．５〜５質量％と、粒径１０ｍｍ〜０．０４ｍｍの難溶性アルミニウム化合物粉粒体９９．５〜９５質量％とをそれぞれ含む混合物を有効成分として含む防草材の前記粉粒体同士が接する箇所ないし前記接する箇所の近傍が接合部となって、透明樹脂により接合されており、前記接合部以外は互いに連続する空隙を形成していることを特徴とする透水性３次元構造物である。
【０００９】
本発明の請求項２記載の発明は、請求項１記載の透水性３次元構造物において、前記難溶性アルミニウム化合物粉粒体が蝋石であることを特徴とする。
【００１０】
本発明の請求項３記載の発明は、請求項１あるいは請求項２記載の透水性３次元構造物の施工方法であって、下記工程（１）〜（５）を含むことを特徴とする透水性３次元構造物の施工方法である。
（１）土壌面から除草、抜根して均し、あるいはさらに転圧する。（２）転圧した土壌面上に請求項１から請求項３のいずれかに記載の防草材を敷き詰めて均す。
（３）均した後、透明樹脂水性エマルジョンを敷き詰めて均した防草材表面に供給して浸透させる。
（４）工程（３）で浸透させた前記透明樹脂水性エマルジョンの内、前記難溶性硼素化合物粉粒体と難溶性アルミニウム化合物粉粒体が接する箇所ないし前記接する箇所の近傍に残留するもの以外は、系外に排出する。
（５）工程（４）の後、乾燥し、養生する。
【００１１】
本発明の請求項４記載の発明は、請求項１あるいは請求項２記載の透水性３次元構造物の施工方法であって、下記工程（１）〜（４）を含むことを特徴とする透水性３次元構造物の施工方法である。
（１）土壌面から除草、抜根して均し、あるいはさらに転圧する。（２）工程（１）で処理した土壌面に、予め前記難溶性硼素化合物粉粒体と難溶性アルミニウム化合物粉粒体に透明樹脂水性エマルジョンを均一に混合して調製した混合物を、敷き詰めて均す。
（３）工程（２）で敷き詰めて均した前記難溶性硼素化合物粉粒体と難溶性アルミニウム化合物粉粒体中の前記透明樹脂水性エマルジョンの内、前記難溶性硼素化合物粉粒体と難溶性アルミニウム化合物粉粒体が接する箇所ないし前記接する箇所の近傍に残留するもの以外は、系外に排出する。
（４）工程（３）の後、乾燥し、養生する。
【発明の効果】
【００１２】
本発明の請求項１記載の発明は、粒径７ｍｍ〜０．０４ｍｍの難溶性硼素化合物粉粒体０．５〜５質量％と、粒径１０ｍｍ〜０．０４ｍｍの難溶性アルミニウム化合物粉粒体９９．５〜９５質量％とをそれぞれ含む混合物を有効成分として含む防草材の前記粉粒体同士が接する箇所ないし前記接する箇所の近傍が接合部となって、透明樹脂により接合されており、前記接合部以外は互いに連続する空隙を形成していることを特徴とする透水性３次元構造物であり、
粉粒体同士が接する箇所ないし前記接する箇所の近傍が接合部となって、透明樹脂により接合されているので美観および強度に優れるとともに、接合部以外は互いに連続する空隙を形成しているので、雨水などが空隙を通過して地面に吸収される際に、硼素などの溶出量を制御して有効成分を地面に供給できる透水性３次元構造物であって、墓地や霊園の防草、公園や中央分離帯やガーデンアプローチや犬走りの防草、鉄塔下、高架下、交差点、路側帯の防草などに有用であり、粉粒体の状態で地面に敷き詰め、例えばその上から透明樹脂水性エマルジョンを供給して浸透させ、乾燥し、養生することによって容易に施工して雑草の生育を防止するとともに苔やかびの発生を防止でき、風が吹いても粉塵が発生せず、雨水などによって粉粒体が散逸してしまうことがなく、冬場に凍ってヒビ割れが発生することがなく、耐水性、耐候性、耐久性、効果の持続性に優れ、安価で環境に対して優しいという顕著な効果を奏する。
しかも有効成分の難溶性硼素化合物粉粒体と難溶性アルミニウム化合物粉粒体とは難溶性であり、かつ粉粒体同士が接する箇所ないし前記接する箇所の近傍以外の表面は、透明樹脂により覆われていないか、あるいは透明樹脂の薄い膜によって覆われているので、
防草有効成分を徐放することができ、例えばアルミニウムが徐放されると土壌中のリン酸を不溶化するので植物に重要な養分を欠乏させることができ、また硼素が徐放されると防草効果が大きいので、雑草の生育を防止するとともに、苔やかびの発生を防止できる、という顕著な効果を奏する。
粒径７ｍｍ〜０．０４ｍｍの難溶性硼素化合物粉粒体が０．５〜５質量％、粒径１０ｍｍ〜０．０４ｍｍの難溶性アルミニウム化合物粉粒体が９９．５〜９５質量％配合されているが、粒径が大きすぎると施工しにくくなり、小さすぎると飛散して地域環境を汚染するおそれが出るが、前記範囲内であると粉粒体の状態での取り扱い性に優れ、地面への施工性に優れ、工事中に風が吹いても粉塵が発生しない。
【００１３】
本発明の請求項２記載の発明は、請求項１記載の透水性３次元構造物において、前記難溶性アルミニウム化合物粉粒体が蝋石であることを特徴とするものであり、
前記難溶性アルミニウム化合物粉粒体として蝋石を使用するとローラなどを使用して転圧するとよくしまってしっかりし、風が吹いても粉塵がより発生し難くなる効果があり、また、蝋石は安価で入手も容易であり、難溶性硼素化合物粉粒体と使用することによって防草効果がより高くなるというさらなる顕著な効果を奏する。
【００１４】
本発明の請求項３記載の発明は、請求項１あるいは請求項２記載の透水性３次元構造物の施工方法であって、前記工程（１）〜（５）を含むことを特徴とする透水性３次元構造物の施工方法であり、
本発明の透水性３次元構造物を墓地や霊園、公園や中央分離帯やガーデンアプローチや犬走り、鉄塔下、高架下、交差点、路側帯などの地面に容易に施工できるという顕著な効果を奏する。
【００１５】
本発明の請求項４記載の発明は、請求項１あるいは請求項２記載の透水性３次元構造物の施工方法であって、前記工程（１）〜（４）を含むことを特徴とする透水性３次元構造物の施工方法であり、
施工現場や工場などで、予め前記難溶性硼素化合物粉粒体と難溶性アルミニウム化合物粉粒体に透明樹脂水性エマルジョンを均一に混合して調製した混合物を使用するので、本発明の透水性３次元構造物を墓地や霊園、公園や中央分離帯やガーデンアプローチや犬走り、鉄塔下、高架下、交差点、路側帯などの地面にさらに容易に施工できるという顕著な効果を奏する。
【図面の簡単な説明】
【００１６】
【図１】図１（イ）〜（ホ）は本発明の透水性３次元構造物の施工方法の１例を説明する説明図である。
【図２】図２（イ）〜（ニ）は本発明の透水性３次元構造物の施工方法の他の例を説明する説明図である。
【発明を実施するための形態】
【００１７】
次に本発明の内容を図を用いて詳細に説明する。
図１（イ）〜（ホ）は本発明の透水性３次元構造物の施工方法の１例を説明する説明図である。
図１（イ）に示したように、まず地面１の雑草２などを除き、根３なども抜根する。
そして（ロ）に示したように、鋤４で均し、さらに図示しないコンパクタープレート、コテなどを使用して転圧する。
次いで（ハ）に示したように、均しあるいはさらに転圧した面上に防草材５を敷き詰める。
（ニ）に示したように、ローラー、コテなどで転圧した面上に適量の透明樹脂水性エマルジョン７を均一に供給して浸透させる。
５−１は難溶性アルミニウム化合物粉粒体、５−２は難溶性硼素化合物粉粒体を示す。
浸透させた透明樹脂水性エマルジョン７の内、難溶性硼素化合物粉粒体５−２と難溶性アルミニウム化合物粉粒体５−１が接する箇所８ないし接する箇所８の近傍に残留する透明樹脂水性エマルジョン７以外は、地面１に吸収され流出して系外に排出される。その後、必用に応じて再度ローラー、コテなどで転圧することもできる。
そして（ホ）に示したように、乾燥し、養生して、粉粒体同士が接する箇所８ないし前記接する箇所８の近傍が接合部となって、透明樹脂により接合されており、前記接合部以外は互いに連続する空隙９を形成している本発明の透水性３次元構造物６を形成し施工を完成する。
【００１８】
図２（イ）〜（ニ）は本発明の透水性３次元構造物の施工方法の他の例を説明する説明図である。
図２（イ）に示したように、まず地面１の雑草２などを除き、根３なども抜根する。
そして（ロ）に示したように、鋤４で均し、さらに図示しないコンパクタープレート、コテなどを使用して転圧する。
次いで（ハ）に示したように、処理した地面１に、予め所定の量の難溶性硼素化合物粉粒体５−２と難溶性アルミニウム化合物粉粒体５−１に透明樹脂水性エマルジョン７を均一に混合して調製した混合物５’を、敷き詰めて均す。
敷き詰めて均した難溶性硼素化合物粉粒体５−２と難溶性アルミニウム化合物粉粒体５−１中の透明樹脂水性エマルジョン７の内、難溶性硼素化合物粉粒体５−２と難溶性アルミニウム化合物粉粒体５−１が接する箇所８ないし接する箇所８の近傍に残留するもの以外は、系外に排出する。
その後、必用に応じて再度ローラー、コテなどで転圧することもできる。
そして（ニ）に示したように、乾燥し、養生して、粉粒体同士が接する箇所８ないし前記接する箇所８の近傍が接合部となって、透明樹脂により接合されており、前記接合部以外は互いに連続する空隙９を形成している本発明の透水性３次元構造物６を形成し施工を完成する。
【００１９】
本発明の透水性３次元構造物６は、粉粒体同士が接する箇所８ないし接する箇所８の近傍が接合部となって、透明樹脂により接合されており、接合部以外は互いに連続する空隙９を形成している。
本発明の透水性３次元構造物６は、粉粒体同士が接する箇所８ないし接する箇所８の近傍が接合部となって、透明樹脂により接合されているので、外観は使用した難溶性硼素化合物粉粒体５−２と難溶性アルミニウム化合物粉粒体５−１の色、形などが損なわれておらず、美観に優れ、また強度に優れるとともに、接合部以外は互いに連続する空隙９を形成しているので、雨水などが空隙９を通過して地面１に吸収されるが、通過する際に、硼素などの溶出量を制御して有効成分を地面１に供給できる。
【００２０】
本発明の透水性３次元構造物６は、墓地や霊園、公園や中央分離帯（植栽周り）やガーデンアプローチや犬走り、鉄塔下、高架下、交差点、路側帯などの地面に容易に施工することができ、難溶性アルミ化合物粉粒体と難溶性硼素化合物粉粒体から防草有効成分が適切に徐放されるので、雑草の生育を防止できるとともに、苔やかびの発生をも防止でき、効果の持続性に優れしかも環境に対して優しいなどという優れた効果を上げることができる。
【００２１】
本発明の透水性３次元構造物６の形状、寸法などは特に限定されるものではない。
前記説明では、本発明の透水性３次元構造物６の形状は平らなフィルムあるいはシート状のものを示したが、形状は３次元構造物であればよく、丸形、楕円形、三角や四角など多角形のもの、あるいはこれらの２つ以上を組み合わせたものなどでもよい。
【００２２】
有効成分の難溶性硼素化合物粉粒体と難溶性アルミニウム化合物粉粒体とは難溶性であり、かつ粉粒体同士が接する箇所ないし前記接する箇所の近傍以外の表面は、透明樹脂により覆われていないか、あるいは透明樹脂の薄い膜によって覆われているので、防草有効成分を徐放することができ、例えばアルミニウムが徐放されると土壌中のリン酸を不溶化するので植物に重要な養分を欠乏させることができ、また硼素が徐放されると防草効果が大きいので、雑草の生育を防止するとともに、苔やかびの発生を防止できる。
【００２３】
本発明で使用する難溶性硼素化合物粉粒体は、ｐＨ４以上あるいはｐＨ１２未満の水中で難溶性を示し防草有効成分の溶解量が微量であるが、ｐＨ４未満あるいはｐＨ１２以上の水に対してはやや溶解性がでて防草有効成分の溶解量が増大するような硼素化合物の粉粒体である。
前記硼素化合物としては、具体的には、例えば、コレマナイト、ウレキサイト、プライス石、方硼石、水硼石、インヨウ石、サイベリ石、ダトライト、ハウ石、硼美石などの天然鉱物、および硼酸、硼砂を含む硅酸ガラスを２００〜１０００℃、好ましくは７００〜９００℃で焼成し、硼素の溶出量を制御したガラスなどおよびこれらの２種以上の混合物を挙げることができる。
【００２４】
本発明で使用する難溶性アルミニウム化合物粉粒体は、アルミニウムが徐放されると土壌中のリン酸を不溶化するので植物に重要な養分を欠乏させることができるようなアルミニウム化合物粉粒体であり、ｐＨ４以上ｐＨ５〜８程度の水中で難溶性を示し溶解量が微量であるが、ｐＨ４未満のｐＨ５未満あるいはｐＨ８を超える水に対してはやや溶解性がでて有効成分の溶解量が増大するようなアルミニウム化合物粉粒体である。
前記難溶性アルミニウム化合物としては、具体的には、例えば、カオリン粘土鉱物（カオリナイト、ハロイサイト、セリサイト、蝋石等）を挙げることができる。前記難溶性アルミニウム化合物粉粒体として蝋石を使用するとローラなどを使用して転圧するとよくしまってしっかりし、風が吹いても粉塵がより発生し難くなる効果があり、また、蝋石は安価で入手も容易であり、防草効果がより高くなる。
【００２５】
本発明の防草材中に粒径７ｍｍ〜０．０４ｍｍ、好ましくは５ｍｍ〜２ｍｍの難溶性硼素化合物粉粒体を０．５〜５質量％、好ましくは１〜３質量％、粒径１０ｍｍ〜０．０４ｍｍ、好ましくは８ｍｍ〜２ｍｍの前記難溶性アルミニウム化合物を９９．５〜９５質量％、好ましくは９７〜９９質量％配合すると、粉粒体の状態での取り扱い性に優れ、地面への施工性に優れ、防草効果に優れ、風が吹いても粉塵が発生し難いので好ましい。
【００２６】
難溶性硼素化合物粉粒体の粒径が７ｍｍを超えると有効成分の溶出の制御が困難になる恐れがあり、０．０４ｍｍ未満では粉塵が発生する恐れがある。難溶性硼素化合物粉粒体の配合量が０．５質量％未満では防草効果が劣る恐れがあり、５質量％を超えると防草効果に優れるが環境汚染などの恐れがある。
前記難溶性アルミニウム化合物粉粒体の粒径が７ｍｍを超えると有効成分の溶出の制御が困難になる恐れがあり、０．０４ｍｍ未満では粉塵が発生する恐れがある。前記難溶性アルミニウム化合物粉粒体の配合量が９５質量％未満では防草効果が劣る恐れがあり、９９．５質量％を超えると難溶性硼素化合物配合量が足りなくなるため、防草効果が劣る恐れがある。
【００２７】
本発明で使用する透明樹脂水性エマルジョンは、透明樹脂を、分散剤を利用して水中に分散させ、乳化状態としたものである。
本発明で使用する透明樹脂としては、透明性を有していれば、熱可塑性樹脂および／または熱硬化性樹脂であってよく、例えばポリエステル、ポリスチレンやスチレン共重合体（例えば、スチレン−アクリル樹脂、スチレン−ブタジエン樹脂など）、アクリレートおよびメタクリレート樹脂、ポリ塩化ビニル樹脂、酢酸ビニル樹脂、塩化ビニル／酢酸ビニル共重合樹脂、塩化ビニル／酢酸ビニル／マレイン酸共重合樹脂、ビニルブチラール樹脂、ポリビニルアルコール樹脂、ポリウレタン樹脂、ポリイミド樹脂、ポリアミド樹脂、ポリエーテル樹脂、エポキシ系樹脂あるいはこれらの２種以上の混合物などいずれであっても使用できる。
本発明で使用する透明樹脂水性エマルジョンは、自社で調製することもできるが、市販品（例えば、商品名：ナルスワロ（登録商標）、成瀬化学株式会社製）を使用することもできる。
本発明で使用する透明熱硬化性樹脂
【００２８】
本発明で使用する透明樹脂の柔軟性、耐衝撃性、硬さなどの特性を改良するために、スチレン−ジエンブロック共重合体、ポリウレタン系エラストマー、ポリエステル−エーテル共重合体、ポリオレフィン系エラストマーなどのエラストマーあるいは他の有機ポリマーを透明樹脂の透明性を損なわない範囲で添加配合することができる。
【００２９】
本発明で使用する透明樹脂水性エマルジョンは、大気中に放置することにより、含有する水分が徐々に蒸散し、乾燥することにより粘着性を有するようになり、接着機能を奏する性質を有しており、そして、最終的に乾燥が完了すると固化（硬化）し、有効成分の難溶性硼素化合物粉粒体と難溶性アルミニウム化合物粉粒体同士が接する箇所ないし接する箇所の近傍が接合部となって、透明樹脂により接合されるので強度に優れた本発明の透水性３次元構造物６を得ることができる。
【００３０】
そして、接合部以外は互いに連続する空隙を形成しているので、雨水などが空隙を通過して地面に吸収される際に、硼素などの溶出量を制御して有効成分を地面に供給することができる。
【００３１】
すなわち、粉粒体同士が接する箇所ないし前記接する箇所の近傍以外の表面は、透明樹脂により覆われていないか、あるいは透明樹脂の薄い膜によって覆われており、粉粒体の表面が、透明樹脂により覆われていない場合は、雨水などが空隙を通過する際に、接触した雨水などに直接有効成分が溶出されるが、透明樹脂の薄い膜によって覆われている場合は、膜の厚さ、膜の物理的、化学的性質などにより雨水などに溶出される有効成分の溶出量が異なる。
予め試験するなどにより膜の厚さ、膜の物理的、化学的性質、透明樹脂の分子量などと有効成分の溶出量との関係を測定しておけば、防草有効成分の徐放性を制御することができる。
【００３２】
透明樹脂の薄い膜の厚さは、透明樹脂水性エマルジョン中の透明樹脂含有量によっても変化するので、透明樹脂水性エマルジョンを前記のように原液のまま使用することもできるが、水で１．５倍、２倍、３倍・・・などの倍率で稀釈し、水で稀釈した透明樹脂水性エマルジョンを使用して、より薄い膜厚で覆われた粉粒体を得ることもできる。
【００３３】
水で稀釈した透明樹脂水性エマルジョンを使用すると粉粒体同士が接する箇所における透明樹脂量が少なくなって、強度などが低下する恐れがあるので、強度などを損なわない範囲で、透明樹脂の薄い膜の厚さを薄くして有効成分の溶出量を増加させるなど制御することが好ましい。
【００３４】
図２に示したように、本発明で使用する透明樹脂水性エマルジョンに予め所定の量の難溶性硼素化合物粉粒体と難溶性アルミニウム化合物粉粒体を混合しておき、施工現場でその混合物を、雑草などを除き、根なども抜根して均し、転圧した地面に適用して、難溶性硼素化合物粉粒体と難溶性アルミニウム化合物粉粒体が接する箇所ないし接する箇所の近傍に残留するもの以外は、系外に排出した後、乾燥し、養生して本発明の透水性３次元構造物を得ることもできる。
【００３５】
本発明で使用する透明樹脂の１つに鹸化度が９５％以上のポリビニルアルコールがある。鹸化度の値が小さい場合には、水に対する溶解性が高く、一方、９５％以上の鹸化度であれば、水に対する不溶性が高い。そのため、鹸化度の高いポリビニルアルコール成分の水性エマルジョンを使用することができ、乾燥硬化後は雨水などにより溶解することのない強い耐水性を発揮することが可能となる。
【００３６】
本発明で使用する防草材中にフィラーなどの増量剤、猫忌避材などの第３成分を使用目的に応じて防草材の性能を損なわない範囲で配合することができる。
【００３７】
猫忌避材としては、木酢液、竹酢液、メントールなどを挙げることができる。
【００３８】
本発明で用いる防草材の包装は公知の防水性の高い包装体を使用できる。具体的には、例えば、ＰＥ袋、紙プラスチック積層袋などが挙げることができる。
【００３９】
上記実施の形態の説明は、本発明を説明するためのものであって、特許請求の範囲に記載の発明を限定し、或は範囲を減縮するものではない。又、本発明の各部構成は上記実施の形態に限らず、特許請求の範囲に記載の技術的範囲内で種々の変形が可能である。
【実施例】
【００４０】
以下、実施例により本発明を説明するが、本発明の主旨を逸脱しない限り本発明は実施例に限定されるものではない。
【００４１】
（実施例１）
図１（イ）〜（ホ）に示した本発明の透水性３次元構造物の施工方法に従って本発明の透水性３次元構造物６を形成し施工した。
図１（イ）に示したように、まず地面１の雑草２などを除き、根３なども抜根した。
そして（ロ）に示したように、鋤４で均し、さらに図示しないコンパクタープレート、コテなどを使用して転圧した。
次いで（ハ）に示したように、均しあるいはさらに転圧した面上に防草材５を敷き詰めた。
（ニ）に示したように、ローラー、コテなどで転圧した面上に適量の透明樹脂水性エマルジョン７を供給して浸透させた。
５−１は難溶性アルミニウム化合物粉粒体、５−２は難溶性硼素化合物粉粒体を示す。
浸透させた透明樹脂水性エマルジョン７の内、難溶性硼素化合物粉粒体５−２と難溶性アルミニウム化合物粉粒体５−１が接する箇所８ないし接する箇所８の近傍に残留する透明樹脂水性エマルジョン７以外は、地面１に流出して、吸収され、系外に排出される。その後、再度ローラーで転圧した。
そして（ホ）に示したように、乾燥し、養生して、粉粒体同士が接する箇所８ないし前記接する箇所８の近傍が接合部となって、透明樹脂により接合されており、前記接合部以外は互いに連続する空隙９を形成している本発明の透水性３次元構造物６を形成し施工を完成した。
本発明の透水性３次元構造物６を放置し、６ヶ月後および２年後の土壌を観察し防草効果を確認した。
【００４２】
（実施例２）
粒径１〜７ｍｍの粒度範囲にふるい分けした蝋石と、ハンマーミルで粉砕し粒径１〜３ｍｍの粒度範囲にふるい分けしたコレマナイトをそれぞれ９８質量％及び２質量％の比率で配合しリボンミキサーにて混合した。この防草材(防草マサスペシャル:株式会社松井文ショウ堂製)を木製容器（縦３００ｍｍ×横３００ｍｍ×深さ３０ｍｍ）の中に入れて、敷きならし転圧した。
次いで、ポリエチレン（４０質量％）・アクリル系透明樹脂（１０質量％）水性（水４５質量％）エマルジョン（登録商標：ナルスワロ：成瀬化学株式会社製）原液を水で２、３、４、６倍稀釈にそれぞれ稀釈したエマルジョンを調製し、前記木製容器に収容した防草材の表面にそれぞれ同量のエマルジョンを散布した。前記木製容器の底部からわずかのエマルジョンが流出した。
次いで、常温常圧下で３日養生し固化させた。
前記木製容器に収容した固化させた防草材の上面に硬度計の先端部を押し当てて山中硬度試験方法（土壌調査ハンドブック；編：日本ペドロジー学界、出版社：博友社、発行年月：１９９７年０８月）に従って硬度を測定した。測定結果を次に示す。
硬度測定結果：
２倍稀釈の場合：３０〜３２ｍｍ
３倍稀釈の場合：２６〜２９ｍｍ
４倍稀釈の場合：２０〜２４ｍｍ
６倍稀釈の場合：１５〜１８ｍｍ
前記、硬度測定結果から、稀釈倍率が高くなると、硬度が低下するが、６倍稀釈の場合でも実用的には十分の硬度を有することが判った。
【産業上の利用可能性】
【００４３】
本発明の透水性３次元構造物は、粉粒体同士が接する箇所ないし前記接する箇所の近傍が接合部となって、透明樹脂により接合されているので美観および強度に優れるとともに、接合部以外は互いに連続する空隙を形成しているので、雨水などが空隙を通過して地面に吸収される際に、硼素などの溶出量を制御して有効成分を地面に供給できる透水性３次元構造物であって、墓地や霊園の防草、公園や中央分離帯やガーデンアプローチや犬走りの防草、鉄塔下、高架下、交差点、路側帯の防草などに有用であり、粉粒体の状態で地面に敷き詰め、例えばその上から透明樹脂水性エマルジョンを供給して浸透させ、乾燥し、養生することによって容易に施工して雑草の生育を防止するとともに苔やかびの発生を防止でき、風が吹いても粉塵が発生せず、雨水などによって粉粒体が散逸してしまうことがなく、冬場に凍ってヒビ割れが発生することがなく、耐水性、耐候性、耐久性、効果の持続性に優れ、安価で環境に対して優しいという顕著な効果を奏するので、産業上の利用価値が高い。
【符号の説明】
【００４４】
１  地面
２  雑草
３  根
４  鍬
５  防草材
５’  混合物
５−１  難溶性アルミニウム化合物粉粒体
５−２  難溶性硼素化合物粉粒体
６  透水性３次元構造物
７  透明樹脂水性エマルジョン
８  接する箇所
９  空隙
【図１】
2014076001.tif 000003
【図２】
2014076001.tif 000004